(57)【要約】【課題】けらば部材が風等の外力により撓み難いけらば部材の取付構造を提供する。【解決手段】けらば部材２の取付構造は、野地板４３と、野地板４３の上面の妻側端部に固定される受け桟４４と、受け桟４４の上面と野地板４３の上面に載置される屋根材４と、を備える。けらば部材２の取付構造は、野地板４３と受け桟４４と屋根材４の妻側端部を覆うけらば部材２を備える。けらば部材２は、野地板４３と受け桟４４の妻側端に沿って設けられるけらば縦包み部２２と、けらば縦包み部２２から建物の内側に突出するけらば上包み部２３と、を有するけらば部材２の取付構造には、屋根材４の妻側端部を介して受け桟４４に固定される押え具１が設けられる。押え具１は、けらば上包み部２３の先端部の上方への移動を規制するものであることを特徴とする【選択図】図１
2015055138.tif 000002
【特許請求の範囲】
【請求項１】
野地板と、前記野地板の上面の妻側端部に固定される受け桟と、
前記受け桟の上面と前記野地板の上面に載置される屋根材と、
前記野地板と前記受け桟と前記屋根材の妻側端部を覆うけらば部材と、が備えられるけらば部材の取付構造であって、
前記けらば部材は、前記野地板と前記受け桟の妻側端に沿って設けられるけらば縦包み部と、前記けらば縦包み部から建物の内側に突出するけらば上包み部と、を有し、
前記けらば上包み部は、前記受け桟と前記屋根材の妻側端部を上方から覆い、
前記屋根材の妻側端部を介して前記受け桟に固定される押え具が設けられ、
前記押え具は、前記けらば上包み部の先端部の上方への移動を規制するものであることを特徴とするけらば部材の取付構造。
【発明の詳細な説明】
【技術分野】
【０００１】
本発明は、けらば部材の取付構造に関するものである。
【背景技術】
【０００２】
従来、野地板と、野地板の上面に固定される屋根材と、野地板と屋根材の妻側端部とを覆うけらば部材と、が備えられたものが知られている（例えば特許文献１参照）。
【先行技術文献】
【特許文献】
【０００３】
【特許文献１】特開２００７−１５４４５８号公報
【発明の概要】
【発明が解決しようとする課題】
【０００４】
従来のけらば部材８３は、図４に示すように、野地板８１の妻側端部に沿って上方に向かって設けられる縦片８３ａと、縦片８３ａの上端から建物の内側に突出する突出片８３ｂと、を有する。けらば部材８３は、縦片８３ａと突出片８３ｂにより、屋根材８２と野地板８１の妻側端部を覆っていた。
【０００５】
このとき、建物の内側から妻側に向けて風が吹くと、けらば部材８３に風が当たることになる。そうなると、突出片８３ｂが、図４に示す方向Ｍに向かって移動し、縦片８３ａが撓んでしまっていた。このとき、けらば部材８３が建物の内側から妻側へ向かう方向に折れ曲る虞があった。
【０００６】
本発明は上記従来の問題点に鑑みて発明したものであって、その目的とするところは、けらば部材が風等の外力により撓み難い、けらば部材の取付構造を提供することを課題とするものである。
【課題を解決するための手段】
【０００７】
上記課題を解決するために、本発明は、以下のような構成とする。
【０００８】
野地板と、前記野地板の上面の妻側端部に固定される受け桟と、前記受け桟の上面と前記野地板の上面に載置される屋根材と、前記野地板と前記受け桟と前記屋根材の妻側端部を覆うけらば部材と、が備えられるけらば部材の取付構造であって、前記けらば部材は、前記野地板と前記受け桟の妻側端に沿って設けられるけらば縦包み部と、前記けらば縦包み部から建物の内側に突出するけらば上包み部と、を有し、前記けらば上包み部は、前記受け桟と前記屋根材の妻側端部を上方から覆い、前記屋根材の妻側端部を介して前記受け桟に固定される押え具が設けられ、前記押え具は、前記けらば上包み部の先端部の上方への移動を規制することを特徴とする。
【発明の効果】
【０００９】
本発明のけらば部材の取付構造は、野地板の上面の妻側端部に固定される受け桟と、受け桟の上端と接触し野地板の上端に固定される屋根材と、野地板の妻側端部と屋根材の妻側端部とを覆うけらば部材と、を備える。けらば部材は、屋根材の妻側端部を覆うけらば上包み部を有する。また、屋根材の妻側端部を介して受け桟に固定される押え具が設けられる。風等の外力がけらば上包み部の先端部を上方へ移動させようとしても、押え具により、けらば上包み部は上方へ移動し難くなっている。従って、けらば部材が風等の外力により撓み難くなる。このとき、押え具は、けらば部材が建物の内側から妻側へ向かう方向に折れ曲がることを防止できる。
【図面の簡単な説明】
【００１０】
【図１】本発明の第一の実施形態の屋根材の妻側端部の断面図である。
【図２】本発明の第一の本実施形態の押え具の斜視図である。
【図３】本発明の第二の実施形態の押さえ金具とけらば上包み部の拡大断面図である。
【図４】従来例の図である。
【発明を実施するための形態】
【００１１】
けらば部材２の取付構造は、野地板４３と、野地板４３の上面の妻側端部に固定される受け桟４４と、受け桟４４の上面と野地板４３の上面に載置される屋根材４と、を備える。そして、けらば部材２の取付構造は、野地板４３と受け桟４４と屋根材４の妻側端部を覆うけらば部材２を備える。けらば部材２は、野地板４３と受け桟４４の妻側端に沿って設けられるけらば縦包み部２２と、けらば縦包み部２２から建物の内側に突出するけらば上包み部２３と、を有する。けらば上包み部２３は、受け桟４４と屋根材４の妻側端部を上方から覆う。けらば部材２の取付構造には、屋根材４の妻側端部を介して受け桟４４に固定される押え具１が設けられる。押え具１は、けらば上包み部２３の先端部の上方への移動を規制することを特徴とする。
【００１２】
以下、本発明の第一の実施形態について図１及び図２に基づいて説明する。
【００１３】
けらば部材２の取付構造では、本実施形態では、図１に示すように、野地板４３と、野地板４３の上面の妻側端部に固定される受け桟４４と、受け桟４４の上面と野地板４３の上面に載置される屋根材４と、が備えられる。
【００１４】
野地板４３は、屋根材４の下地材であり、棟木から軒先にかけて屋根勾配に沿って設けられる垂木５の上に固定される。なお、野地板４３には、防水シート（アスファルトルーフィング）等を敷設しておくのが好ましい。
【００１５】
受け桟４４は、屋根勾配方向に沿って棟側から軒先側にかけて設けられる角材である。
【００１６】
屋根材４は、例えば、切妻屋根や片流れ屋根によって設けられる。屋根は、複数の屋根材４によって構成される。屋根材４は、例えば、断面凹凸形状をしたルーフ材や、折板屋根材によって設けられる。本実施形態の屋根材４は、屋根勾配方向とは直角な方向に、凹部４１と凸部４２とが繰り返し形成された金属屋根によって設けられる。凹部４１及び凸部４２は、屋根材４の屋根勾配方向の全長に亘って設けられる。
【００１７】
野地板４３には、本実施形態では、図１に示すように、野地板４３の妻側端部の下端に破風板３１が設けられる。
【００１８】
破風板３１は、屋根勾配方向に沿って棟側から軒先側にかけて設けられる板であり、建物内部への雨の吹込みを防ぐ。破風板３１は、図１に示すように、野地板４３の妻側端よりも、建物の内側に設けられる。破風板３１の下端部には、軒天井下地材７２が取付けられる。
【００１９】
軒天井下地材７２は、屋根勾配方向に沿って棟側から軒先側にかけて設けられる角材である。軒天井下地材７２は、本実施形態では、図１に示すように、破風板３１の下端よりも上側に設けられる。破風板３１の下端部と建物の外壁の間には、軒天井下地材７２が複数架設される。軒天井下地材７２の下端には、軒天井７１が取付けられる。
【００２０】
軒天井７１は、屋根材４の建物の外壁（図示せず）よりも更に妻側に突出した端部の下方に屋根勾配方向に沿って傾斜して設けられる。なお、軒天井７１の取付構造はこれに限定されない。
【００２１】
けらば３は、本実施形態では、破風板３１を備えるが、けらば３の構成は限定されない。
【００２２】
けらば部材２の取付構造には、本実施形態では、図１に示すように、破風板３１と、野地板４３と受け桟４４と屋根材４の妻側端部と、を覆うけらば部材２が備えられる。けらば部材２は、破風板３１の下端部に引掛けられる引掛け部２１を有する。けらば部材２は、引掛け部２１から野地板４３と受け桟４４の妻側端に沿って上方に設けられるけらば縦包み部２２を有する。けらば部材２は、けらば縦包み２２から建物の内側に突出するけらば上包み部２３を有する。
【００２３】
引掛け部２１は、本実施形態では、図１に示すように、側面視Ｌ字状をしているが、形状は限定されない。引掛け部２１が、破風板３１の下端部に引掛けられることにより、けらば部材２が、破風板３１に取付けられる位置決めが行われる。また、引掛け部２１の破風板３１に引掛けられる部分を、固定具で固定することにより、けらば部材２が破風板３１に仮固定されることができる。固定具は、釘や螺子が考えられるが、限定されない。
【００２４】
けらば縦包み部２２は、本実施形態では、図１に示すように、野地板４３と受け桟４４の妻側端を遮蔽する。けらば縦包み部は２２、本実施形態では、図１に示すように、けらば部材２を破風板３１に固定するための固定具６が取付けられる凹所２２ａを有する。固定具６は、釘や螺子が考えられるが、限定されない。凹所２２ａの破風板３１側の端部は、本実施形態では、図１に示すように、破風板３１に接する。凹所２２ａは、本実施形態では、図１に示すように、けらば縦包み部２２の破風板３１の下端から上端までの部分に、二ヵ所設けられるが、凹所２２ａの数は、二ヵ所に限定されない。下側の凹所２２ａに取付けられる固定具６により、けらば部材２と破風板３１と軒天井下地材７２とが固着される。上側の凹所２２ａに取付けられる固定具６により、けらば部材２と破風板３１と垂木５とが固着される。なお、けらば縦包み部２２の凹所２２ａが設けられる部分以外は、本実施形態では、図１に示すように、破風板３１との間に隙間を有する。
【００２５】
けらば上包み部２３は、受け桟４４と屋根材４の妻側端部を上方から覆う。けらば上包み部２３は、本実施形態では、図１に示すように、側面視略Ｌ字状をしているが、その形状は限定されない。けらば上包み部２３は、本実施形態では、図１に示すように、けらば縦包み部２２の上端から建物の内側に向かって設けられる横片２３ａを有する。けらば上包み部２３は、本実施形態では、図１に示すように、横片２３ａのけらば縦包み部２２側とは反対側の端部から下方に向かって設けられる縦片２３ｂを有する。けらば上包み部２３は、本実施形態では、図１に示すように、縦片２３ｂの下端部を折返した折返し片２３ｃを有する。折返し片２３ｃは、本実施形態では、図１に示すように、縦片２３ｂの下端部を建物の内側から妻側に向かう方向に折り返し、更に上方に向けて折返したものである。縦片２３ｂの下端部と折返し片２３ｃの先端部との間には、隙間が設けられており、その隙間を挿入空間２４とする。
【００２６】
本実施形態では、図１に示すように、屋根材４の妻側端部を介して受け桟４４に固定される、押え具１が設けられる。押え具１は、けらば上包み部２３の先端部の上方への動きを規制する。押え具１は、屋根勾配方向に沿って棟側から軒先側まで設けられる長尺の部材でもよい。また押え具１は、棟側から軒先側までの間に、複数の押え具１を配設してもよい。押え具１は、本実施形態では、剛性を有する金属であるのが好ましい。本実施形態では、図１に示すように、屋根材４の妻側端部（受け桟４４の上方）に載置される固定片１１と、固定片１１の建物の妻側から内側に向かう方向の端部から突出する押え片１２と、を有する。
【００２７】
固定片１１は、本実施形態では、図２に示すように、平面視矩形状となっているが、その形状は限定されない。固定片１１には、本実施形態では、図２に示すように、屋根材４を介して受け桟４４に固定されるための固定具６が挿通する挿通孔１１ａが二ヵ所設けられる。なお、挿通孔１１ａの数は限定されない。
【００２８】
押え片１２は、本実施形態では、図２に示すように、平面視矩形状の平板となっているが、その形状は限定されない。押え片１２は、本実施形態では、図１に示すように、固定片１１側の端部から反対側の端部に行く程下方に位置するように傾斜する。押え片１２は、本実施形態では、図１に示すように、先端部が挿入空間２４に挿入されるものである。押え片１２は、挿入空間２４の奥側（折返し片２３ｃの基端）まで挿入されることが好ましい。押え片１２が、挿入空間２４に挿入されていると、風等の外力により、けらば上包み部２３の先端部が上方へ移動しようとするとき、折返し片２３ｃが押え片１２に引掛る。ここで、押え片１２は、受け桟４４に固定されており、また剛性を有する。このとき、押え片１２は、折返し片２３ｃの上方への移動によって発生する押え片１２を上方へと押す力により、上方へと移動し難い。従って、押え片１２は、風等の外力による、けらば上包み部２３の先端部の上方への移動をさせ難くする。そして、けらば上包み部２３の先端部が上方へ移動し難いので、けらば縦包み部２２が撓み難くなる。
【００２９】
以上のような構成の本実施形態では、押え具１が屋根材４の妻側端部を介して受け桟４４に固定され、縦片２３ｂの下端部と折返し片２３ｃとの間に生じる挿入空間２４に、押え具１の押え片１２が挿入される。これにより、風等の外力がけらば上包み部２３の先端部を上方へ移動させようとしても、押え片１２がその上方への移動をさせ難くする。そして、けらば上包み部２３の先端が上方へ移動し難いので、けらば縦包み部２２が撓み難くなる。従って、けらば部材２が建物の内側から妻側へ向かう方向に折れ曲がることを防止できる。
【００３０】
次に、第二の実施形態について図３に基づいて説明する。第二の実施形態は、第一の実施形態の変形例であり、第一の実施形態と同じ部分については同符号を付して説明を省略する。
【００３１】
本実施形態では、図３に示すように、けらば上包み部２３の縦片２３ｂの下端部が、建物の妻側から内側に向かう方向に折返され、更に上方に向けて折返されて、折返し片２３ｃが設けられる。折返し片２３ｃの先端部と縦片２３ｂの下端部との間には挿入空間２４が形成される。
【００３２】
本実施形態では、折返し片２３ｃの折返される方向が第一の実施形態とは変わっているため、押え具１の形状が変化する。押え具１は、本実施形態では、図３に示すように、屋根材４の妻側端からけらば上包み部２３の縦片２３ｂまで設けられる、固定片１１を有する。押え片１２は、本実施形態では、図３に示すように、固定片１１の縦片２３ｂ側の端部から折返し片２３ｃの基端まで縦片２３ｂに沿うように設けられる。そして、押え片１２は、折返し片２３ｃの基端から先端まで折返し片２３ｃに沿うように設けられる。そして、押え片１２は、折返し片２３ｃを覆うように、折返し片２３ｃの先端で、建物の内側から妻側へ向かう方向に折返され、更に下方に折返される。このとき、押え片１２の先端が、挿入空間２４に挿入される。押え片１２は、挿入空間２４の奥側まで挿入されることが好ましい。これにより、風等の外力により、けらば上包み部２３の先端部が上方へ移動しようとすると、折返し片２３ｃが押え片１２に引掛る。
【００３３】
以上のような構成の本実施形態では、押え具１が屋根材４の妻側端部を介して受け桟４４に固定され、縦片２３ｂの下端部と折返し片２３ｃとの間に生じる挿入空間２４に、押え具１の押え片１２が挿入される。これにより、風等の外力がけらば上包み部２３の先端部を上方へ移動させようとしても、押え片１２がその上方への移動をさせ難くする。そして、けらば上包み部２３の先端が上方へ移動し難いので、けらば縦包み部２２が撓み難くなる。従って、けらば部材２が建物の内側から妻側へ向かう方向に折れ曲がることを防止できる。
【符号の説明】
【００３４】
１    押え具
１１  固定片
１１ａ  挿通孔
１２  押え片
２    けらば部材
３    けらば
４    屋根材
５    垂木
６    固定具
【図１】
2015055138.tif 000003
【図２】
2015055138.tif 000004
【図３】
2015055138.tif 000005
【図４】
2015055138.tif 000006